(57)【要約】【課題】操作者がスイッチ切換などの回転動作を良好に認識できる回転型電気部品を提供すること。【解決手段】回転操作される操作体（３）と、前記操作体（３）を回転可能に保持するハウジングと、前記操作体（３）の回転動作を検出する回転検出手段と、前記操作体（３）と共に回転するクリック部材（４）と、前記クリック部材（４）に設けられた係合部（４０２）と係脱してクリック感触を生起する突部（５０２）を有するクリック板（５）と、を備え、前記操作体（３）の回転操作に伴って、前記係合部（４０２）と前記突部（５０２）とが係脱した際に、クリック音を発生させるクリック音発生手段を、前記係合部（４０２）および前記突部（５０２）とは異なる位置に設けたことを特徴とする。【選択図】図１
2012221654.tif 000002
【特許請求の範囲】
【請求項１】
回転操作される操作体と、前記操作体を回転可能に保持するハウジングと、前記操作体の回転動作を検出する回転検出手段と、前記操作体と共に回転するクリック部材と、前記クリック部材に設けられた係合部と係脱してクリック感触を生起する突部を有するクリック板と、を備えた回転型電気部品において、
前記操作体の回転操作に伴って、前記係合部と前記突部とが係脱した際に、クリック音を発生させるクリック音発生手段を、前記係合部および前記突部とは異なる位置に設けたことを特徴とする回転型電気部品。
【請求項２】
前記係合部と前記突部とが係脱した際に、前記クリック板の一部が当接する当接部を設け、前記クリック音発生手段を前記クリック板と前記当接部とで構成することを特徴とする請求項１に記載の回転型電気部品。
【請求項３】
前記ハウジングは、前記操作体を回転可能に保持する軸受け部材と、前記軸受け部材に重なるケースと、を備え、前記軸受け部材と前記ケースとには、前記操作体の回転軸線方向に沿って複数箇所に挿通孔が形成され、前記挿通孔のそれぞれに前記軸受け部材と前記ケースとを一体化させるための金属製の取り付けピンが挿通され、
前記クリック板は、金属材からなるとともに、前記クリック板には、前記取り付けピンがクリアランスを有して挿通される挿通部が形成され、
前記係合部と前記突部とが係脱した際に、前記挿通部の端面が前記クリアランス内で移動して、前記当接部を構成する前記取り付けピンに当接することを特徴とする請求項２に記載の回転型電気部品。
【請求項４】
前記クリック板は、前記軸受け部材と前記ケースとの間にその板面方向に移動可能に配設されているとともに、前記クリック部材は前記操作体に取り付けられた金属製の板ばねからなることを特徴とする請求項３に記載の回転型電気部品。
【請求項５】
前記係合部は、前記クリック板の板面に沿って対向することを特徴とする請求項４に記載の回転型電気部品。
【請求項６】
前記板ばねは、前記操作体にかしめられて取り付けられているとともに、前記板ばねには、前記操作体の一部と弾接する弾性片が設けられていることを特徴とする請求項４または請求項５に記載の回転型電気部品。
【請求項７】
前記挿通部は、前記操作体の回転軸線を挟んで対角線上の隅部近傍に一対設けられ、前記突部は、前記一対の挿通部の周方向における中間部に形成されていることを特徴とする請求項３から請求項６のいずれかに記載の回転型電気部品。
【請求項８】
前記回転検出手段は、前記操作体の回転操作に伴って回転する摺動子と、前記摺動子が摺接する抵抗体パターンが形成された抵抗基板と、前記摺動子が摺接する固定接点が形成された接点基板と、から構成されることを特徴とする請求項１から請求項７のいずれかに記載の回転型電気部品。
【発明の詳細な説明】
【技術分野】
【０００１】
本発明は、操作体の回転操作に伴ってクリック感触が生起される回転型電気部品に関する。
【背景技術】
【０００２】
従来の回転型電気部品は、回転軸の回転操作に伴って、スイッチの切り換えが行われるとともに、回転軸に配設されたクリック部材の係合部が、抵抗基板に形成されたクリック用凸部と係脱してスイッチ切換時におけるクリック感触が生起されるよう構成されている（例えば、特許文献１参照）。
【先行技術文献】
【特許文献】
【０００３】
【特許文献１】特開２００６−１７３５７０号公報
【発明の概要】
【発明が解決しようとする課題】
【０００４】
しかしながら、従来の回転型電気部品では、クリック部材およびクリック用凸部が、ともに樹脂などの絶縁体で形成されているため、クリック感触を生起させるクリック部材の係合部とクリック用凸部とが係脱する際に発生する音が小さく、操作者が、例えばスイッチの切換に伴うクリック感触の生起を認識しにくいという問題があった。
【０００５】
本発明は、かかる点に鑑みてなされたものであり、操作者が、例えばスイッチ切換などの操作体の回転動作を良好に認識できる回転型電気部品を提供することを目的とする。
【課題を解決するための手段】
【０００６】
本発明の回転型電気部品は、回転操作される操作体と、前記操作体を回転可能に保持するハウジングと、前記操作体の回転動作を検出する回転検出手段と、前記操作体と共に回転するクリック部材と、前記クリック部材に設けられた係合部と係脱してクリック感触を生起する突部を有するクリック板と、を備え、前記操作体の回転操作に伴って、前記係合部と前記突部とが係脱した際に、クリック音を発生させるクリック音発生手段を、前記係合部および前記突部とは異なる位置に設けたことを特徴とする。
【０００７】
この回転型電気部品によれば、操作体の回転操作に伴って、クリック部材に設けられた係合部とクリック板に設けられた突部とが係脱してクリック感触が生起される際に、クリック音を発生させるクリック音発生手段を設けたことから、回転操作時に、クリック感触およびクリック音を得ることができるので、操作者が、例えばスイッチ切換などの操作体の回転動作を良好に認識することが可能となる。
【０００８】
また、上記回転型電気部品において、前記係合部と前記突部とが係脱した際に、前記クリック板の一部が当接する当接部を設け、前記クリック音発生手段を前記クリック板と前記当接部とで構成することが好ましい。この場合には、クリック板と、クリック板の一部が当接する当接部とでクリック音発生手段を構成できるので、簡単な構成でクリック音発生手段を設けることが可能となる。
【０００９】
さらに、上記回転型電気部品において、前記ハウジングは、前記操作体を回転可能に保持する軸受け部材と、前記軸受け部材に重なるケースと、を備え、前記軸受け部材と前記ケースとには、前記操作体の回転軸線方向に沿って複数箇所に挿通孔が形成され、前記挿通孔のそれぞれに前記軸受け部材と前記ケースとを一体化させるための金属製の取り付けピンが挿通され、前記クリック板は、金属材からなるとともに、前記クリック板には、前記取り付けピンがクリアランスを有して挿通される挿通部が形成され、前記係合部と前記突部とが係脱した際に、前記挿通部の端面が前記クリアランス内で移動して、前記当接部を構成する前記取り付けピンに当接することが好ましい。この場合には、ハウジングを組み立てるために用いる取り付けピンを、クリック音発生手段を構成する当接部として利用しているため、別部品を必要とすることなくクリック音発生手段を構成することができ、回転型電気部品の小型化や安価対応を図ることが可能となる。また、クリック音発生手段を構成するクリック板および当接部（取り付けピン）がともに金属材からなるため、クリック音発生手段によって発生するクリック音を大きくすることが可能となる。
【００１０】
さらに、上記回転型電気部品において、前記クリック板は、前記軸受け部材と前記ケースとの間にその板面方向に移動可能に配設されているとともに、前記クリック部材は前記操作体に取り付けられた金属製の板ばねからなることが好ましい。この場合には、操作体の回転操作に伴う、クリック部材（板ばね）に形成された係合部と、クリック板に形成させた突部との係脱が、金属同士の係脱となるため、係脱に伴う部材の劣化を抑制することができ、良好なクリック感触を長期に渡って実現すること、すなわちクリック感触の長寿命化が可能となる。
【００１１】
さらに、上記回転型電気部品において、前記係合部は、前記クリック板の板面に沿って対向することが好ましい。この場合には、クリック部材（板ばね）に形成された係合部と、クリック板の板面とが面接触した状態で摺動することとなるため、係合部の摩耗に起因する劣化を緩和することができ、クリック感触のさらなる長寿命化が可能となる。
【００１２】
さらに、上記回転型電気部品において、前記板ばねは、前記操作体にかしめられて取り付けられているとともに、前記板ばねには、前記操作体の一部と弾接する弾性片が設けられていることが好ましい。この場合には、板ばねをがたつきなく確実に操作体に取り付けることができるため、クリック感触およびクリック音を良好に発生させることが可能となる。
【００１３】
さらに、上記回転型電気部品において、前記挿通部は、前記操作体の回転軸線を挟んで対角線上の隅部近傍に一対設けられ、前記突部は、前記一対の挿通部の周方向における中間部に形成されていることが好ましい。この場合には、クリック音発生手段を構成するクリック板の挿通部が一対設けられているため、２箇所でクリック音を発生させることができ、より大きなクリック音を得ることが可能となる。また、一対の挿通部の周方向における中間部に突部が形成されているため、突部および挿通部間の距離を長く取ることができるので、係合部と突部との係脱時に、クリック板がたわみやすくなり、クリック感触のよりいっそうの長寿命化が可能となる。また、クリック板がたわみやすくなるため、ケースと軸受け部材との間に形成される空間内でクリック音が反響しやすくなり、より大きなクリック音を得ることが可能となる。
【００１４】
また、上記回転型電気部品において、前記回転検出手段は、前記操作体の回転操作に伴って回転する摺動子と、前記摺動子が摺接する抵抗体パターンが形成された抵抗基板と、前記摺動子が摺接する固定接点が形成された接点基板と、から構成されることが考えられる。この場合には、回転検出手段の構成を簡単にすることができる。
【発明の効果】
【００１５】
本発明によれば、操作者が操作体の回転動作を良好に認識できる回転型電気部品を提供することができる。
【図面の簡単な説明】
【００１６】
【図１】本実施の形態に係る回転型電気部品を前方から見たときの分解斜視図である。
【図２】上記実施の形態に係る回転型電気部品を後方から見たときの分解斜視図である。
【図３】上記実施の形態に係る回転型電気部品を組み立てた状態の斜視図である。
【図４】上記実施の形態に係る回転型電気部品を組み立てた状態の断面図である。
【図５】上記実施の形態に係る回転型電気部品を組み立てた状態の軸受け部材と、操作体と、板ばねを取り外した状態を示す正面図である。
【図６】上記実施の形態に係る回転型電気部品を組み立てた状態の板ばねとクリック板との関係を示す斜視図である。
【発明を実施するための形態】
【００１７】
以下、本発明の実施の形態について添付図面を参照して詳細に説明する。
本発明の実施の形態に係る回転型電気部品は、例えば、パーソナルオーディオのスイッチ等に好適なスイッチ装置として利用可能である。
【００１８】
図１は、本発明の一実施の形態に係る回転型電気部品１を前方から見たときの分解斜視図である。図２は、本実施の形態に係る回転型電気部品１を後方から見たときの分解斜視図である。なお、以下においては、説明の便宜上、図１に示す左上方側を「回転型電気部品１の前方側」と呼び、図１に示す右下方側を「回転型電気部品１の後方側」と呼ぶものとする。また、図１、図２に示す上下方向を「回転型電気部品１の上下方向」と呼ぶものとする。
【００１９】
図１に示すように、本実施の形態に係る回転型電気部品１は、軸受け部材２と、軸受け部材２に回転可能に保持される操作体３と、操作体３に取り付けられる板ばね４と、クリック感触およびクリック音を発生させるクリック板５と、クリック板５を収容するケース６と、ケース６および接点基板１２との間に収容される摺動子受け１０および摺動子１１と、取り付け板１５と、取り付けピン１６ａ〜１６ｄと、を含んで構成される。この回転型電気部品１は、操作体３の回転操作に伴って、板ばね４に形成された係合部４０２と、クリック板５に形成された突部５０２とが係脱することにより、スイッチ切換時のクリック感触が生起され、かつ、クリック音が発生する構成を有する。
【００２０】
軸受け部材２は、合成樹脂などの絶縁体、あるいは亜鉛ダイキャストなどで形成され、中央に貫通孔２０１ａが設けられた概して円筒形状を有する筒状部２０１と、筒状部２０１の後端に設けられた概して直方体形状を有する基部２０２と、から構成される。基部２０２における筒状部２０１の周囲には、前後方向に貫通する４つの挿通孔２０３ａ〜２０３ｄ（図１において、挿通孔２０３ｄは図示しない）が形成されている。軸受け部材２の後端側には、略円形状の収容凹部２０４が設けられている（図２参照）。この収容凹部２０４の内周面の一端（本実施の形態において下端）には、収容凹部２０４内に突出したストッパー部２０５が形成されている。基部２０２の上端部であって、収容凹部２０４の周囲には、後述するケース６の係合部６０７と係合可能な係合部２０６が形成されている。また、基部２０２の下方部であって、収容凹部２０４の下方には、後述するケース６の係合部６０８と係合可能な係合部２０７が形成されている。
【００２１】
操作体３は、アルミニウム、あるいは合成樹脂などで形成され、概して円柱状の軸部３０１と、軸部３０１の後端に設けられた鍔状の基盤部３０２と、基盤部３０２の後方に延出する断面Ｄ字形状の台座部３０３と、台座部３０３の後方に延出する略角柱状の駆動部３０４と、から構成される。軸部３０１の先端には、断面Ｄ字形状の操作部３０１ａが形成されている。基盤部３０２の後端側には、後方に突出する突出片３０５ａ，３０５ｂが設けられている。また、基盤部３０２の外周の一部には、径方向に突出するストッパー部３０６が設けられている（図２参照）。台座部３０３は、側面に曲面形状部と、平面形状部と、を有している。
【００２２】
板ばね４は、弾性を有する金属板に打ち抜き加工および折り曲げ加工を施して形成される。板ばね４は、概して円環形状をしており、中央に操作体３の台座部３０３に挿通される孔４０１が設けられている。板ばね４を構成する金属板としては、例えば、高い硬度を持ち耐久性に優れたオーステナイト系ステンレス（ＳＵＳ３０１）が適している。孔４０１の周囲には、クリック板５側（後方側）から見て凸状の係合部４０２が設けられている。係合部４０２には、操作体３の回転軸線方向と直交する方向に延在する平面部４０２ａが設けられている（図２参照）。また、孔４０１の周囲には、操作体３における突出片３０５ａ，３０５ｂがそれぞれ挿通される挿通孔４０３ａ，４０３ｂが形成されている。挿通孔４０３ａ，４０３ｂに挿通された突出片３０５ａ，３０５ｂの先端は、押しつぶされるなどして変形させられており、この変形によるかしめにより、板ばね４は操作体３に取り付けられている。孔４０１の内周の一部には、クリック板５側（後方側）に突出して形成された弾性片４０４が設けられている（図２参照）。この弾性片４０４は、板ばね４を操作体３の台座部３０３に取り付けた際に、台座部３０３の平面形状部と弾接する。これにより、板ばね４をがたつきなく確実に操作体３に取り付けることができ、クリック感触およびクリック音を良好に発生させることが可能となる。
【００２３】
また、板ばね４には、２箇所の曲げ位置それぞれを逆方向に曲げるＺ曲げ加工が施されている。以下では、板ばね４のうち、挿通孔４０３ａ，４０３ｂが形成されている部分を一端部４ａ、係合部４０２が形成されている部分を他端部４ｂ、一端部４ａと他端部４ｂに挟まれた部分を中間部４ｃと記して説明する。一端部４ａは、平面状に形成されている。中間部４ｃは一端部４ａに対して金属板を曲げ下げて形成されている。他端部４ｂは中間部４ｃに対して金属板を曲げ起こして形成され、一端部４ａと略平行に構成されている。一端部４ａを平面状とすることで、板ばね４をがたつきなく操作体３に取り付けることが可能となる。
【００２４】
クリック板５は、金属板に打ち抜き加工および折り曲げ加工を施して形成される。クリック板５は、矩形形状のうち対角線上にある１組の角部が弧を描いた形状となるように切り欠かれており、中央に操作体３の台座部３０３に挿通される孔５０１が設けられている。孔５０１を規定する板面部５ａは、操作体３の回転軸線方向と直交する方向に延在して設けられている。孔５０１の周囲には、板ばね４側（前方側）から見て凸状段差となる突部５０２が設けられている。クリック板５における対角線上に位置する他の１組の角部には、一対の挿通部５０３ａ，５０３ｂが形成されている。なお、挿通部５０３ａ（５０３ｂ）は、円形状を有している。また、突部５０２は、操作体３の回転軸線を中心とした仮想の円弧（例えば、孔５０１を画成する円）の周方向において、挿通部５０３ａと５０３ｂの中間部に位置している。
【００２５】
ケース６は、合成樹脂などで形成され、概して直方体形状を有する基部６０１から構成される。基部６０１の中央には、前後方向に貫通して挿通孔６０２が形成されている。基部６０１の前面であって、挿通孔６０２の周囲には略円形状の収容凹部６０３が設けられている。基部６０１の後面であって、挿通孔６０２の周囲には略円形状の収容凹部６０４が設けられている。基部６０１における収容凹部６０３，６０４の周囲には、前後方向に貫通する４つの挿通孔６０５ａ〜６０５ｄが形成されている。基部６０１の前端側において、挿通孔６０５ｂ，６０５ｄの周囲には、挿通孔６０５ａ，６０５ｃの周囲に対して凹状段差となる段差部６０６が設けられている。また、基部６０１の前端側上端部であって、収容凹部６０３の周囲には、軸受け部材２の凹状の係合部２０６と係合可能な凸状の係合部６０７が形成されている。基部６０１の前端側下方部には、軸受け部材２の凹部からなる係合部２０７と係合可能な突起からなる係合部６０８が形成されている。一方、基部６０１の後端側上端部であって、収容凹部６０４の周囲には、後述する接点基板１２の凸状の係合部１２５と係合可能な凹状の係合部６０９が形成されている（図２参照）。また、基部６０１の後端側下方部には、後述する接点基板１２の突起からなる係合部１２６ａ，１２６ｂとそれぞれ係合可能な凹状の係合部６１０ａ，６１０ｂが形成されている。
【００２６】
また、ケース６の中央部には、フェノール樹脂やエポキシ樹脂などの絶縁性の樹脂材からなる平面状の抵抗基板７がインサート成形などの方法で一体的に埋設されている。図２に示すように、ケース６の収容凹部６０４内に露出した抵抗基板７には、挿通孔６０２を囲む円環状の導電体パターン７０１や、導電体パターン７０１を囲む下方が開口した円環状の抵抗体パターン７０２が露出して配設されている。導電体パターン７０１は、抵抗基板７に銀ペーストなどを印刷形成して構成される。抵抗体パターン７０２は、抵抗基板７にカーボンなどの抵抗体ペーストを印刷形成して構成される。また、ケース６の下端側には、導電体パターン７０１および抵抗体パターン７０２にそれぞれ接続され、抵抗基板７から導出された導電性の金属板からなる接続端子８，９が突出して設けられている。
【００２７】
摺動子受け１０は、合成樹脂などの絶縁体で形成され、概して円筒形状を有する軸部１０１と、軸部１０１を中心とする概して半円形状を有する保持部１０２と、から構成される。軸部１０１の中央には、断面が略矩形状の嵌合孔１０３が形成されている。また、軸部１０１の前端側には、軸部１０１より小径の円筒形状を有する小径部１０４が設けられている。小径部１０４は、ケース６の挿通孔６０２に回転可能に挿入される。
【００２８】
摺動子受け１０の保持部１０２には、概して一部が開口した円環形状（円弧形状）を有する摺動子１１がインサート成形などの方法で一体的に埋設されている。保持部１０２に保持された摺動子１１は、弾性を有する導電性の金属薄板で形成される。摺動子１１は、保持部１０２から露出し、先端部から中間部にかけて２重の円弧形状を有する第１〜第４接片１１ａ〜１１ｄを有している。第１接片１１ａ、第２接片１１ｂは、後述する接点基板１２側（後方側）に折り曲げられ、先端部には接点基板１２側から見て凸状段差となるようにプレス曲げ加工を施されている。第３接片１１ｃ、第４接片１１ｄは、ケース６（抵抗基板７）側（前方側）に折り曲げられ、先端部にはケース６側から見て凸状段差となるようにプレス曲げ加工を施されている。
【００２９】
接点基板１２は、合成樹脂などの絶縁材で形成され、概して直方体形状を有する基部１２１から構成される。基部１２１の中央には、前後方向に貫通して挿通孔１２２が形成されている。基部１２１の前面であって挿通孔１２２の周囲には、挿通孔１２２を中心とする、略円形状の収容凹部１２３が設けられている。基部１２１における収容凹部１２３の周囲には、前後方向に貫通する４つの挿通孔１２４ａ〜１２４ｄが形成されている。基部１２１の前端側上端部であって、収容凹部１２３の周囲には、ケース６の係合部６０９と係合可能な係合部１２５が形成されている。基部１２１の前端側下方部には、ケース６の係合部６１０ａ，６１０ｂとそれぞれ係合可能な係合部１２６ａ，１２６ｂが形成されている。一方、基部１２１の後端側には、後述する取り付け板１５を収容するための収容部１２７が設けられている（図２参照）。
【００３０】
また、接点基板１２の中央部には、導電性の金属板からなる固定接点１３がインサート成形などの方法で一体的に埋設されている。図１に示すように、接点基板１２の収容凹部１２３内には、一部（図１において左方側）が開口した円弧状の接点パターン１３１および連続した円環状のコモンパターン１３２が露出して配設されている。なお、接点パターン１３１の一方の起端部位置は、クリック板５における突部５０２の位置に対応して設けられている。また、接点基板１２の下端側には、接点パターン１３１およびコモンパターン１３２に接続され、接点基板１２から導出された接続端子１４ａ，１４ｂが突出して設けられている。
【００３１】
取り付け板１５は、金属板などで形成され、概して矩形状を有しており、４隅に挿通部１５ａ〜１５ｄが形成されている。取り付けピン１６ａ〜１６ｄは、金属製の棒状部材で形成される。取り付けピン１６ａ〜１６ｄはそれぞれ、取り付け板１５の挿通部１５ａ〜１５ｄ、接点基板１２の挿通孔１２４ａ〜１２４ｄ、ケース６の挿通孔６０５ａ〜６０５ｄおよび軸受け部材２の挿通孔２０３ａ〜２０３ｄに挿通される。また、取り付けピン１６ｂ，１６ｄは、それぞれクリック板５の挿通部５０３ａ，５０３ｂに挿通される。なお、これらの取り付けピン１６ｂ，１６ｄは、クリック音発生手段の一部を構成する。取り付けピン１６ａ〜１６ｄは、挿通孔２０３ａ〜２０３ｄから突出する先端部（一端部）がかしめられる。なお、図１、図２においては、かしめられた後の状態の取り付けピン１６ａ〜１６ｄについて示している。また、取り付けピン１６ａ〜１６ｄの他端部には、挿通部１５ａ〜１５ｄよりも径の大きな鍔状部が設けられており、この鍔状部が取り付け板１５と当接することにより、取り付けピン１６ａ〜１６ｄが軸受け部材２やケース６などから抜け落ちないように構成されている。
【００３２】
続いて、本実施の形態に係る回転型電気部品１を組み立てた状態について説明する。図３は、本実施の形態に係る回転型電気部品１を組み立てた状態の斜視図である。図４は、図３のＡ−Ａ線矢視断面図である。なお、図３、図４においては、操作体３に操作を受けていない初期状態の回転型電気部品１について示している。
【００３３】
図３に示すように、このような構成の回転型電気部品１を組み立てると、取り付けピン１６ａ〜１６ｄによって（図３において、取り付けピン１６ｃは図示しない）、軸受け部材２と取り付け板１５との間に、ケース６および接点基板１２が挟持されて保持されることによりハウジングが構成される。また、軸受け部材２における筒状部２０１の貫通孔２０１ａからは、操作体３の軸部３０１が突出する。
【００３４】
図４に示すように、操作体３は、軸部３０１が軸受け部材２における筒状部２０１の貫通孔２０１ａに回転可能に挿入されて保持される。操作体３において、基盤部３０２は、軸受け部材２の収容凹部２０４に収容されている。台座部３０３は、軸受け部材２の収容凹部２０４とケース６の収容凹部６０３とで形成される収容空間（以下、「前方側収容空間」と記す）に収容されている。駆動部３０４は、挿通孔６０２より後方側の位置に配置され、摺動子受け１０の嵌合孔１０３に嵌合している。板ばね４は、操作体３の基盤部３０２に固定された状態で、前方側収容空間に収容されている。板ばね４は、一端部４ａが基盤部３０２の後面に固定され、中間部４ｃが後方側に延出した状態となっている。クリック板５は、同じく前方側収容空間に配置された板ばね４と対向して配置される。
【００３５】
クリック板５は、板面部５ａをケース６の挿通孔６０５ｂ，６０５ｄが形成された段差部６０６（下段側）と対向させた状態で、前方側収容空間に収容される。段差部６０６に対向して配置されていることから、クリック板５の後方側には収容凹部６０３の一部の空間が存在している。クリック板５の孔５０１には、操作体３の台座部３０３が挿通されている。
【００３６】
摺動子受け１０は、ケース６の収容凹部６０４と接点基板１２の収容凹部１２３とで形成される収容空間（以下、「後方側収容空間」と記す）に収容される。このとき、摺動子１１の第１接片１１ａの先端部は、接点基板１２に埋設された固定接点１３の接点パターン１３１と摺接する。第２接片１１ｂの先端部は、固定接点１３のコモンパターン１３２と摺接する。第３接片１１ｃの先端部は、ケース６に埋設された抵抗基板７の抵抗体パターン７０２と摺接する。第４接片１１ｄの先端部は、抵抗基板７の導電体パターン７０１と摺接する。このように、回転型電気部品１においては、抵抗基板７、摺動子受け１０、摺動子１１および固定接点１３で回転検出手段が構成されている。
【００３７】
ここで、前方側収容空間におけるクリック板５の配置について説明する。図５は、初期状態の回転型電気部品１から軸受け部材２と、操作体３と、板ばね４を取り外した状態を示す正面図である。図５に示すように、クリック板５は、ケース６の段差部６０６における略直角の角部とクリック板５における略直角の角部とが重なるように段差部６０６に対し隙間を有してはめ込まれる。この状態で、挿通部５０３ａ，５０３ｂに取り付けピン１６ｂ，１６ｄが挿通されている。挿通部５０３ａ（５０３ｂ）の内径は、取り付けピン１６ｂ（１６ｄ）の外径よりもわずかに大きく設定されている。そのため、取り付けピン１６ｂ（１６ｄ）は、挿通部５０３ａ（５０３ｂ）にクリアランスを有して挿通されている。また、このクリアランス内において、クリック板５は、操作体３の回転軸線方向と直交する方向に移動可能に配設されている。さらに、クリック板５は、ケース６の段差部６０６内において、操作体３の回転軸線方向と直交する方向（板面方向、図６に示す紙面手前−奥方向）に移動可能に配設されている。
【００３８】
図６は、初期状態の回転型電気部品１における板ばね４とクリック板５との関係を示す斜視図である。図６に示すように、初期状態において、板ばね４における係合部４０２と、クリック板５における突部５０２とは、離れた位置に位置している。板ばね４における係合部４０２の平面部４０２ａは、クリック板５の板面部５ａに面接触した状態で配置されている。したがって、操作体３が回転操作された際に、係合部４０２は、クリック板５の板面に平面部４０２ａが面接触した状態で摺動することとなる。これにより、摺動時における係合部４０２への応力が分散され、係合部４０２の摩耗に起因する劣化が緩和されるため、クリック感触の長寿命化が可能となる。また、係脱時においては、一端部４ａと中間部４ｃとの境界部分に応力集中が生ずるため、クリック感触を強く出すことが可能となる。
【００３９】
続いて、本実施の形態に係る回転型電気部品１の動作について説明する。初期状態から操作体３の軸部３０１を所定量回転すると、操作体３の台座部３０３に取り付けられた板ばね４が操作体３とともに回転する。そして、板ばね４に形成された係合部４０２は、クリック板５に形成された突部５０２に当接した後、突部５０２を乗り越える。すなわち、係合部４０２と突部５０２とが係脱する。このとき、突部５０２が、係合部４０２を押圧することにより、板ばね４がたわみ、板ばね４の弾性付勢力によってクリック感触が生起される。このとき、突部５０２も、係合部４０２によって押圧される。クリック板５は、その板厚がケース６の段差部６０６の段差寸法よりも小さく設定されており、軸受け部材２とケース６との間に挟持されていない。このため、クリック板５は、回転軸線方向に移動可能に配設されており、また、クリック板５の後方側には収容凹部６０３が設けられていることから、突部５０２の押圧によってクリック板５全体がたわむ。したがって、突部５０２への応力が分散され、係脱に伴う劣化が緩和されるため、クリック感触の長寿命化が可能となる。また、係合部４０２と突部５０２との係脱は、金属材同士の係脱となるため、係脱に伴う部材の劣化を抑制することができ、良好なクリック感触を長期にわたって実現することが可能となる。すなわち、クリック感触の長寿命化が可能となる。
【００４０】
また、係合部４０２の傾斜した一方の側面が突部５０２の傾斜した一方の側面に当接した状態から、突部５０２を乗り越えた際（直後）に、係合部４０２の傾斜した他方の側面が突部５０２の傾斜した他方の側面を回転軸線方向に付勢するため、突部５０２を含むクリック板５には、板ばね４の回転方向とは逆方向に力が加わる。これにより、クリック板５がクリアランス内において回転するように移動し、挿通部５０３ａ（５０３ｂ）の一部が取り付けピン１６ｂ（１６ｄ）に当接することにより、金属材同士がぶつかってクリック音が発生する。このように、クリック板５における挿通部５０３ａ（５０３ｂ）および取り付けピン１６ｂ（１６ｄ）によってクリック音発生手段を構成しているため、簡単な構成でクリック音発生手段を設けることが可能となる。また、回転型電気部品１におけるハウジングを組み立てるために用いる取り付けピン１６ｂ，１６ｄを、クリック音発生手段の構成部材として利用しているため、別部品を必要とすることなくクリック音発生手段を構成することができ、回転型電気部品１の小型化や安価対応を図ることが可能となる。さらに、挿通部５０３ａと取り付けピン１６ｂ、挿通部５０３ｂと取り付けピン１６ｄからなる２箇所でクリック音を発生させることができるため、操作者が十分に認識できる音量のクリック音を得ることが可能となる。また、突部５０２は、操作体３の回転軸線を中心とする円弧の周方向において、挿通部５０３ａと５０３ｂの中間部に形成されているため、突部５０２および挿通部５０３ａ（５０３ｂ）間の距離を長く取ることができるので、係合部４０２と突部５０２との係脱時に、クリック板５がたわみやすくなる。そして、クリック板５がたわみやすくなることから、クリック板５が収容される前方側収容空間内でクリック音が反響しやすくなるため、操作者が十分に認識できる音量のクリック音を得ることが可能となる。
【００４１】
さらに、突部５０２は、接点基板１２の収容凹部１２３内に配設された接点パターン１３１の一方の起端部位置に対応して設けられているため、係合部４０２が突部５０２を乗り越えてクリック感触が生起された際に、摺動子１１における第１接片１１ａが接点パターン１３１と導通してスイッチ（接続端子１４ａと１４ｂとの間の導通状態）がオフ状態（非導通状態）からオン状態となるように設定されている。このオン状態において、操作体３をさらに回転させると、摺動子１１の第３接片１１ｃが抵抗体パターン７０２上を摺接し、導電体パターン７０１、第４接片１１ｄおよび第３接片１１ｃを介して、接続端子８と一方の接続端子９間の抵抗値が変化する。
【００４２】
なお、操作体３の軸部３０１が所定量回転すると、軸受け部材２におけるストッパー部２０５が、操作体３におけるストッパー部３０６と当接することにより、それ以上の回転が規制される。
【００４３】
また、本実施の形態に係る回転型電気部品１のクリック板５に形成された突部５０２および板ばね４の係合部４０２は、それぞれ左右の傾斜が同じ形状となっているため、板ばね４に形成された係合部４０２がこれを乗り越える場合には、行きと帰り、すなわち操作体３の一方向の回転操作と多方向の回転操作とで同じ感触が得られるようになっている。
【００４４】
以上説明したように、本実施の形態に係る回転型電気部品１においては、操作体３の回転操作に伴って、板ばね４（クリック部材）に設けられた係合部４０２とクリック板５に設けられた突部５０２とが係脱してクリック感触が生起される際に、クリック音を発生させるクリック音発生手段を設けたことから、回転操作時に、クリック感触およびクリック音を得ることができるので、操作者が、例えばスイッチ切換などの操作体３の回転動作を良好に認識することが可能となる。
【００４５】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【００４６】
例えば、上記実施の形態においては、スイッチ切換の際にクリック感触が生起されるスイッチ付きの回転型電気部品（可変抵抗器）について説明したが、これに限られず、スイッチを有さない可変抵抗器やエンコーダに本発明の構成を適用することも可能である。回転型の可変抵抗器に適用する場合には、例えば、有限回転角度の中間点でクリック感触が生起されるとともに、クリック音を発生されることが考えられる。
【００４７】
また、上記実施の形態においては、クリック板５に設けられる挿通部５０３ａ（５０３ｂ）が円形状を有する構成について説明しているが、この構成に限定されず、適宜変更が可能である。例えば、挿通部５０３ａ（５０３ｂ）は、略Ｃ字状を有する構成であってもよい。
【００４８】
また、上記実施の形態においては、ケース６における段差部６０６にクリック板５が取り付けられる構成について説明しているが、この構成に限定されず、適宜変更が可能である。例えば、クリック板５を取り付けるための段差部を、軸受け部材２に設ける構成であってもよい。
【符号の説明】
【００４９】
１  回転型電気部品
２  軸受け部材
２０１  筒状部
２０１ａ  貫通孔
２０２  基部
２０３ａ〜２０３ｄ  挿通孔
２０４  収容凹部
２０５  ストッパー部
２０６，２０７  係合部
３  操作体
３０１  軸部
３０１ａ  操作部
３０２  基盤部
３０３  台座部
３０４  駆動部
３０５ａ，３０５ｂ  突出片
３０６  ストッパー部
４  板ばね（クリック部材）
４０１  孔
４０２  係合部
４０２ａ  平面部
４０３ａ，４０３ｂ  挿通孔
４０４  弾性片
４ａ  一端部
４ｂ  他端部
４ｃ  中間部
５  クリック板
５ａ  板面部
５０１  孔
５０２  突部
５０３ａ，５０３ｂ  挿通部
６  ケース
６０１  基部
６０２  挿通孔
６０３，６０４  収容凹部
６０５ａ〜６０５ｄ  挿通孔
６０６  段差部
６０７，６０８，６０９，６１０ａ，６１０ｂ  係合部
７  抵抗基板
７０１  導電体パターン
７０２  抵抗体パターン
８，９  接続端子
１０  摺動子受け
１０１  軸部
１０２  保持部
１０３  嵌合孔
１０４  小径部
１１  摺動子
１１ａ  第１接片
１１ｂ  第２接片
１１ｃ  第３接片
１１ｄ  第４接片
１２  接点基板
１２１  基部
１２２  挿通孔
１２３  収容凹部
１２４ａ〜１２４ｄ  挿通孔
１２５，１２６ａ，１２６ｂ  係合部
１２７  収容部
１３  固定接点
１３１  接点パターン
１３２  コモンパターン
１４ａ，１４ｂ  接続端子
１５  取り付け板
１５ａ〜１５ｄ  挿通部
１６ａ〜１６ｄ  取り付けピン（当接部）
【図１】
2012221654.tif 000003
【図２】
2012221654.tif 000004
【図３】
2012221654.tif 000005
【図４】
2012221654.tif 000006
【図５】
2012221654.tif 000007
【図６】
2012221654.tif 000008